(57)【要約】【課題】原稿の種類の判定を適切に行う。【解決手段】領域判定部１４８は、原稿に係る画像を副走査方向に分割して得られる複数の領域の各々についてカラー領域又はモノクロ領域のいずれであるのかを判定する。原稿判定部１５２は、領域判定部１４８の判定結果に基づいて、原稿がカラー原稿又はモノクロ原稿のいずれであるのかを判定する。デジタル複合機１では、領域判定部１４８における判定に先立って与えられた設定又は得られた履歴情報４に基づいて領域判定部１４８における判定基準を設定する。【選択図】図３
2008271166.tif 000002
【特許請求の範囲】
【請求項１】
原稿を読み取り、原稿に係る画像データを生成する読み取り手段と、
原稿に係る画像を分割して得られる複数の領域の各々についてカラー領域又はモノクロ領域のいずれであるのかを判定する領域判定手段と、
前記領域判定手段の判定結果に基づいて原稿がカラー原稿又はモノクロ原稿のいずれであるのかを判定する原稿判定手段と、
前記原稿判定手段により原稿がカラー原稿であると判定された場合に前記読み取り手段が生成した画像データをカラー画像データとして出力し、前記原稿判定手段により原稿がモノクロ原稿であると判定された場合に前記読み取り手段が生成した画像データをモノクロ画像データとして出力する出力手段と、
前記領域判定手段における判定に先立って与えられた設定又は得られた履歴情報に基づいて前記領域判定手段における判定基準を設定する設定手段と、
を備える画像読み取り装置。
【請求項２】
履歴情報が読み取り中の原稿についての前記領域判定手段の判定結果を含む請求項１に記載の画像読み取り装置。
【請求項３】
前記読み取り手段に複数の原稿を連続して読み取らせるジョブを実行するジョブ実行手段、
をさらに備え、
履歴情報が実行中又は実行済のジョブについての前記原稿判定手段の判定結果を含む請求項１に記載の画像読み取り装置。
【請求項４】
原稿がカラー原稿又はモノクロ原稿のいずれであるのかの指定を受け付ける受け付け手段、
をさらに備え、
履歴情報が前記指定の内容を含む請求項１に記載の画像読み取り装置。
【請求項５】
前記更新手段が操作者ごとの履歴情報に基づいて判定基準を更新する請求項１ないし請求項４のいずれかに記載の画像読み取り装置。
【請求項６】
前記更新手段が画像データの出力先ごとの履歴情報に基づいて判定基準を更新する請求項１ないし請求項４のいずれかに記載の画像読み取り装置。
【発明の詳細な説明】
【技術分野】
【０００１】
本発明は、画像読み取り装置に関する。
【背景技術】
【０００２】
原稿がカラー原稿又はモノクロ原稿のいずれであるのかを判定する自動カラー選択機能（ＡＣＳ機能）を有する画像読み取り装置が従来から用いられている。自動カラー選択機能を有する画像読み取り装置は、原稿がカラー原稿又はモノクロ原稿のいずれであるのかを指定しなくても、原稿がカラー原稿である場合には自動的にカラー画像データを出力し、原稿がモノクロ原稿である場合には自動的にモノクロ画像データを出力することができる。
【０００３】
特許文献１は、本願発明と関連する先行技術文献であり、自動カラー判定を高速化する技術を開示している。
【０００４】
【特許文献１】特開２００５−３３４８９号公報
【発明の開示】
【発明が解決しようとする課題】
【０００５】
しかし、従来の自動カラー選択機能による原稿の種類の判定においては、原稿がモノクロ原稿であると判定するためには、原稿の全面を調べて原稿がカラー領域を含んでいないことを確認する必要がある。
【０００６】
このため、原稿の種類の判定の精度を向上すると、判定に要する時間が長くなり、複数の原稿の連続読み取り等に影響を及ぼすという問題を生ずる。一方、原稿の種類の判定の精度を犠牲にすると、判定に要する時間は短くなるが、データ量が多いカラー画像データが出力される頻度が高くなるという問題を生ずる。
【０００７】
本発明は、この問題を解決するためになされたもので、原稿の種類の判定を適切に行うことを目的とする。
【課題を解決するための手段】
【０００８】
上記課題を解決するため、請求項１の発明は、原稿を読み取り、原稿に係る画像データを生成する読み取り手段と、原稿に係る画像を分割して得られる複数の領域の各々についてカラー領域又はモノクロ領域のいずれであるのかを判定する領域判定手段と、前記領域判定手段の判定結果に基づいて原稿がカラー原稿又はモノクロ原稿のいずれであるのかを判定する原稿判定手段と、前記原稿判定手段により原稿がカラー原稿であると判定された場合に前記読み取り手段が生成した画像データをカラー画像データとして出力し、前記原稿判定手段により原稿がモノクロ原稿であると判定された場合に前記読み取り手段が生成した画像データをモノクロ画像データとして出力する出力手段と、前記領域判定手段における判定に先立って与えられた設定又は得られた履歴情報に基づいて前記領域判定手段における判定基準を設定する設定手段とを備える画像読み取り装置である。
【０００９】
請求項２の発明は、履歴情報が読み取り中の原稿についての前記領域判定手段の判定結果を含む請求項１に記載の画像読み取り装置である。
【００１０】
請求項３の発明は、前記読み取り手段に複数の原稿を連続して読み取らせるジョブを実行するジョブ実行手段をさらに備え、履歴情報が実行中又は実行済のジョブについての前記原稿判定手段の判定結果を含む請求項１に記載の画像読み取り装置である。
【００１１】
請求項４の発明は、原稿がカラー原稿又はモノクロ原稿のいずれであるのかの指定を受け付ける受け付け手段をさらに備え、履歴情報が前記指定の内容を含む請求項１に記載の画像読み取り装置である。
【００１２】
請求項５の発明は、前記更新手段が操作者ごとの履歴情報に基づいて判定基準を更新する請求項１ないし請求項４のいずれかに記載の画像読み取り装置である。
【００１３】
請求項６の発明は、前記更新手段が画像データの出力先ごとの履歴情報に基づいて判定基準を更新する請求項１ないし請求項４のいずれかに記載の画像読み取り装置である。
【発明の効果】
【００１４】
本発明によれば、領域判定手段における判定に先立って与えられた設定又は得られた履歴情報を原稿の種類の判定に反映させることができるので、原稿の種類を適切に判定することができる。
【００１５】
請求項２の発明によれば、読み取り中の原稿についての領域判定手段の判定結果を原稿の種類の判定に反映させることができるので、原稿の種類をさらに適切に判定することができる。
【００１６】
請求項３の発明によれば、実行中又は実行済のジョブについての原稿判定手段の判定結果を原稿の種類の判定に反映させることができるので、原稿の種類をさらに適切に判定することができる。
【００１７】
請求項４の発明によれば、原稿がカラー原稿又はモノクロ原稿のいずれであるのかの指定の内容を原稿の種類の判定に反映させることができるので、原稿の種類をさらに適切に判定することができる。
【００１８】
請求項５の発明によれば、操作者ごとの履歴情報を原稿の種類の判定に反映させることができるので、原稿の種類をさらに適切に判定することができる。
【００１９】
請求項６の発明によれば、画像データの出力先ごとの履歴情報を原稿の種類の判定に反映させることができるので、原稿の種類をさらに適切に判定することができる。
【発明を実施するための最良の形態】
【００２０】
＜１  デジタル複合機の全体構成＞
図１は、本発明の望ましい実施形態に係るデジタル複合機１の全体構成を示すブロック図である。デジタル複合機１は、ＭＦＰ（Multi Function Peripherals）とも呼称され、ファクシミリ機能、コピー機能、スキャン機能、プリント機能等の複数の機能を有している。
【００２１】
図１に示すように、デジタル複合機１は、ＣＰＵ１０２、ＲＡＭ（主記憶装置）１０４及びフラッシュメモリ（補助記憶装置）１０６を備える。フラッシュメモリ１０６には、デジタル複合機１のファームウェア等のプログラム１０６２が格納され、ＣＰＵ１０２、ＲＡＭ１０４及びフラッシュメモリ１０６を備える組み込みコンピュータ１０は、フラッシュメモリ１０６に格納されたプログラム１０６２にしたがって、デジタル複合機１の各構成を統括制御することにより、デジタル複合機１の各機能を実現している。
【００２２】
画像メモリ１０８は、デジタル複合機１が処理対象とする画像を画像データとして記憶する。
【００２３】
デジタル複合機１には、ユーザインターフェースとして、操作パネル１１０が設けられる。操作パネル１１０は、操作の対象となる操作部と、情報を視認可能に表示する表示部とを備える。
【００２４】
デジタル複合機１は、スキャナ部１１２及びプリンタ部１１４を備える。
【００２５】
スキャナ部１１２は、後述するＣＣＤラインセンサ１３２により原稿を読み取り、原稿に係る画像データを生成する。スキャナ部１１２は、ＡＤＦ（Automatic Document Feeder）方式又はＦＢＳ（Flat Bed Scanner）方式により原稿を読み取る。ＡＤＦ方式とは、原稿台に置かれた原稿群から原稿を１枚づつ取得して読み取る方式であり、ＦＢＳ方式とは、コンタクトガラス上に載置された原稿を読み取る方式である。
【００２６】
プリンタ部１１４は、電子写真方式により、画像データに係る画像を記録紙等の記録媒体上に形成する。プリンタ部１１４は、Ｙ（イエロー），Ｍ（マゼンダ），Ｃ（シアン），Ｋ（黒）の４色の画像形成エンジンを備える。プリンタ部１１４は、カラーモードでは、Ｙ，Ｍ，Ｃ，Ｋの画像形成エンジンを用いてカラー画像を記録媒体上に形成する。また、プリンタ部１１４は、モノクロモードでは、Ｋの画像形成エンジンを用いてモノクロ画像を記録媒体上に形成する。
【００２７】
自動カラー選択部１１６は、自動カラー選択のための画像データの処理を行う。自動カラー選択部１１６は、専用ＬＳＩ等のハードウエアで構成することができるが、自動カラー選択部１１６が行う処理の一部又は全部を組み込みコンピュータ１０がプログラム１０６２を実行することにより行うようにしてもよい。
【００２８】
圧縮伸張部１１８は、画像データに対して圧縮処理又は伸張処理を行う。画像データの圧縮方式としては、多階調の画像データについては、ＪＰＥＧ方式等を採用することができ、２階調の画像データについては、ＭＨ方式、ＭＲ方式、ＭＭＲ方式及びＪＢＩＧ方式等を採用することができる。圧縮伸張部１１８も、専用ＬＳＩ等のハードウエアで構成することができるが、圧縮伸張部１１８が行う処理の一部又は全部を組み込みコンピュータ１０がプログラム１０６２を実行することにより行うようにしてもよい。
【００２９】
２値化部１１９は、多階調の画像データを２階調の画像データへ変換する２値化処理を行う。２値化処理は、単純２値化法、組織的ディザ法及び誤差拡散法等により行うことができる。２値化部１１９も、専用ＬＳＩ等のハードウエアで構成することができるが、２値化部１１９が行う処理の一部又は全部を組み込みコンピュータ１０がプログラム１０６２を実行することにより行うようにしてもよい。
【００３０】
ＮＣＵ１２０及びモデム１２２は、公衆電話交換網９１を経由したファクシミリ画像データの送受信に用いられる。ＮＣＵ１２０は、公衆電話交換網９１への接続を制御する。ＮＣＵ１２０は、相手先の電話番号に対応したダイヤル信号を送出する機能及び着信を検出する機能を備える。モデム１２２は、ＩＴＵ（国際電気通信連合）−Ｔ勧告Ｔ.３０にしたがったファクシミリ伝送制御手順に基づいて、Ｖ．１７，Ｖ．２７ｔｅｒ，Ｖ．２９等にしたがったファクシミリ画像データの変復調を行う。又は、モデム１２２は、これらに加えて、Ｖ．３４にしたがったファクシミリ画像データの変復調を行う。
【００３１】
データ通信部１２４は、例えば、イーサネット（登録商標）により、デジタル複合機１をネットワーク９２に接続する。
【００３２】
ＡＤＦ１２６は、ＡＤＦ方式で原稿を読み取る場合に、原稿台に置かれた原稿群から原稿を１枚づつ取得してスキャナ部１１２へ供給する。デジタル複合機１では、ＡＤＦ１２６が原稿台に置かれた原稿群から原稿を１枚づつ取得してスキャナ部１１２へ供給し、スキャナ部１１２が供給された原稿を１枚づつ読み取ることにより、複数の原稿を連続して読み取るジョブを実行することができる。
【００３３】
＜２  デジタル複合機の基本動作＞
ファクシミリ送信を行う場合、デジタル複合機１では、スキャナ部１１２が原稿を読み取り、ＮＣＵ１２０及びモデム１２２が原稿に係るファクシミリ画像データを他のファクシミリ機へ公衆電話交換網９１を経由して送信する。ファクシミリ受信を行う場合、デジタル複合機１では、ＮＣＵ１２０及びモデム１２２が他のファクシミリ機から公衆電話交換網９１を経由して送信されてきたファクシミリ画像データを受信し、プリンタ部１１４がファクシミリ画像データに係る画像を記録媒体上に形成する。
【００３４】
コピーを行う場合、デジタル複合機１では、スキャナ部１１２が原稿を読み取り、プリンタ部１１４が原稿に係る画像を記録媒体上に形成する。
【００３５】
スキャンを行う場合、デジタル複合機１では、スキャナ部１１２が原稿を読み取り、原稿に係る画像データを出力する。
【００３６】
プリントを行う場合、デジタル複合機１では、データ通信部１２４がパーソナルコンピュータからネットワーク９２を経由して送信されてきた画像データを受信し、プリンタ部１１４が画像データに係る画像を記録媒体上に形成する。
【００３７】
＜３  画像処理＞
図２は、画像処理に関するデジタル複合機１の構成を示すブロック図である。デジタル複合機１では、ＣＣＤラインセンサ１３２が生成した画像データは、スキャナ部１１２の色空間変換部１３８において色空間変換が施された後に、スキャナ部１３２から出力され、画像メモリ１０８に蓄積される。画像メモリ１０８に蓄積された画像データには、必要に応じて圧縮伸張部１１８による圧縮処理や２値化部１１９による２値化処理が行われる。
【００３８】
ＣＣＤラインセンサ１３２は、原稿からの光をＣＣＤラインセンサ１３２へ導く読取光学系が原稿を副走査方向に走査する際に、一定の周期で読み取りを繰り返すことにより、ＲＧＢ色空間で表現された画像データ（以下、「ＲＧＢ画像データ」という）を生成する。
【００３９】
色空間変換部１３８は、ＲＧＢ画像データをＹＣｂＣｒ色空間で表現された画像データ（以下、「ＹＣＣ画像データ」という）やＣＭＹＫ色空間で表現された画像データ（以下、「ＣＭＹＫ画像データ」という）へ変換する。
【００４０】
カラーモードでスキャンを行う際には、色空間変換部１３８が多階調のＲＧＢ画像データを多階調のＹＣＣ画像データへ変換し、圧縮伸張部１１８が、多階調のＹＣＣ画像データをＪＰＥＧ方式等で圧縮する。
【００４１】
カラーモードでコピーを行う際には、色空間変換部１３８が多階調のＲＧＢ画像データを多階調のＣＭＹＫ画像データへ変換し、２値化部１１９が多階調のＣＭＹＫ画像データを２階調のＣＭＹＫ画像データへ２値化する。
【００４２】
「モノクロモード」でスキャンを行う際には、色空間変換部１３８が多階調のＲＧＢ画像データを多階調のＹＣＣ画像データへ変換し、圧縮伸張部１１８が、多階調のＹＣＣ画像データの輝度成分ＹをＪＰＥＧ方式で圧縮する。
【００４３】
「モノクロモード」でコピーを行う際は、色空間変換部１３８が多階調のＲＧＢ画像データを多階調のＹＣＣ画像データへ変換し、２値化部１１９が多階調のＹＣＣ画像データの輝度成分Ｙを２階調の輝度成分Ｙへ２値化する。
【００４４】
これらの画像処理が行われた画像データは、スキャンを行う際には、ネットワーク９２に接続されたパーソナルコンピュータのフォルダ（以下、「ネットワークフォルダ」という）やデジタル複合機１のスキャンボックスへ出力される。また、これらの画像処理が行われた画像データは、コピーを行う際には、プリンタ部１１４へ出力される。
【００４５】
＜４  自動カラー選択＞
図３は、自動カラー選択（ＡＣＳ）に関するデジタル複合機１の構成を示すブロック図である。図３における原稿判定部１５２は、組み込みコンピュータ１０がプログラム１０６２を実行することにより実現される機能を表現した処理ブロックである。デジタル複合機１では、ＣＣＤラインセンサ１３２が生成した画像データは、自動カラー選択部１１６へ入力され、色空間変換部１３８において色空間変換が施される。そして、領域判定部１４８において、複数の領域の各々についてカラー領域又はモノクロ領域のいずれであるのかが判定され、原稿判定部１５２において、原稿がカラー原稿又はモノクロ原稿のいずれであるのかが判定される。
【００４６】
色空間変換部１４６は、ＲＧＢ画像データをＹＣＣ画像データへ変換する。
【００４７】
領域判定部１４８は、原稿に係る画像を副走査方向に分割して得られる複数の領域の各々について、判定対象の領域に係る画像データに基づいて、カラー領域又はモノクロ領域のいずれであるのかを判定する（以下、この判定を「領域判定」という）。なお、領域判定の対象となる領域は、原稿に係る画像を副走査方向に分割して得られるものに限られず、例えば、原稿に係る画像を主走査方向及び副走査方向の両方に分割して得られるものであってもよい。また、原稿の浮き等の影響を抑制するため、原稿に係る画像の端部をマスクして判定の対象から除外してもよい。
【００４８】
ここで、「カラー領域」とは、当該領域に係る画像がカラー画像であることをいい、「モノクロ領域」とは、当該領域に係る画像がモノクロ画像であることをいう。領域判定の方法は制限されないが、例えば、領域判定の対象となる領域に含まれる有彩色の画素の数Ｎが閾値Ｎｔ（Ｎｔ≦Ｎ）を超えた場合に領域判定の対象となる領域がカラー領域であると判定することができる。また、画素が有彩色であるか否かの判定の方法も制限されないが、例えば、画素データの色差成分Ｃｂ，Ｃｒが閾値Ｃｂｔ，Ｃｒｔを超えた場合（Ｃｂｔ≦Ｃｂ，Ｃｒｔ≦Ｃｒ）に有彩色であると判定することができる。ただし、これらの判定基準は例示に過ぎず、他の判定基準を採用することを妨げるものではない。また、演算量を減らすために、複数の画素（例えば、主走査方向２画素×副走査方向２画素の４画素）について画素データを平均化し、画素データの平均化の対象となった画素集合ごとに有彩色であるか否かを判定するようにしてもよい。
【００４９】
なお、単にカラー領域であると判定するだけでなく、当該領域の属する色区分をさらに詳しく判定するようにしてもよい。例えば、当該領域がＲ、Ｇ、Ｂ、Ｃ、Ｍ、Ｙのいずれの色区分に属するのかを判定するようにしてもよい。
【００５０】
原稿判定部１５２は、領域判定部１４８の判定結果に基づいて、原稿がカラー原稿又はモノクロ原稿のいずれであるのかを判定する（以下、この判定を「ＡＣＳ判定」という）。具体的には、原稿判定部１５２は、原稿に係る画像にカラー領域が一つでも含まれていれば、原稿がカラー原稿であると判定し、原稿に係る画像にカラー領域が一つも含まれていなければ、原稿がモノクロ原稿であると判定する。
【００５１】
デジタル複合機１は、自動カラー選択が有効になっている状態において、原稿判定部１５２により原稿がカラー原稿であると判定されると、処理モードをカラーモードに設定し、原稿判定部１５２により原稿がモノクロ原稿であると判定されると、処理モードをモノクロモードに設定する。したがって、デジタル複合機１は、自動カラー選択が有効になっている状態において、原稿判定部１５２により原稿がカラー原稿であると判定されると、カラー画像データである多階調のＹＣＣ画像データ又はＣＭＹＫ画像データを出力先へ出力し、原稿判定部１５２により原稿がモノクロ原稿であると判定されると、モノクロ画像データであるＹＣＣ画像データの輝度成分Ｙを出力先へ出力することになる。
【００５２】
なお、上述の画像処理及び自動カラー選択に用いる画像データの読み取りは、一緒に行ってもよいし、別々に行ってもよい。別々に行う場合、画像処理用の画像データの読み取りに先立って、自動カラー選択用の画像データの読み取りを行うことが望ましい。この自動カラー選択用の画像データの読み取りは、一般に「プレスキャン」と呼ばれている。
【００５３】
＜５  処理モード設定画面＞
図４は、デジタル複合機１の操作パネル１１０に表示される処理モード設定画面２を示す図である。
【００５４】
処理モード設定画面２には、原稿がカラー原稿又はモノクロ原稿のいずれであるのかの指定を受け付けるカラーボタン２１及びモノクロボタン２２に加えて、自動カラー判定を有効にするＡＣＳボタン２３が含まれる。
【００５５】
デジタル複合機１は、カラーボタン２１が押下されたことを検出すると、自動カラー選択を無効にし、処理モードをカラーモードに設定する。また、デジタル複合機１は、モノクロボタン２２が押下されたことを検出すると、自動カラー選択を無効にし、処理モードをモノクロモードに設定する。さらに、デジタル複合機１は、ＡＣＳボタン２３が押下されたことを検出すると、自動カラー選択を有効にする。
【００５６】
＜６  ＡＣＳ動作設定画面＞
図５は、デジタル複合機１の操作パネル１１０に表示されるＡＣＳ動作設定画面３を示す図である。
【００５７】
ＡＣＳ動作設定画面３には、速度優先ボタン３１及び精度優先ボタン３２が含まれる。デジタル複合機１は、自動カラー選択が有効になっているときに速度優先ボタン３１が押下されたことを検出すると、ＡＣＳ判定において原稿がカラー原稿であると判定されやすくなるように領域判定における判定基準を設定する。例えば、領域判定における判定基準を、先述の閾値Ｎｔ，Ｃｂｔ，Ｃｒｔが相対的に小さい判定基準に設定する。また、デジタル複合機１は、自動カラー選択が有効となっているときに精度優先ボタン３２が押下されたことを検出すると、ＡＣＳ判定において原稿がモノクロ原稿であると判定されやくすなるように領域判定における判定基準を設定する。例えば、領域判定における判定基準を、先述の閾値Ｎｔ，Ｃｂｔ，Ｃｒｔが相対的に大きい判定基準に設定する。
【００５８】
このように、領域判定に先立って与えられた、速度又は精度のいずれを優先するのかに関する優先設定に基づいて領域判定における判定基準を設定するようにすると、優先設定をＡＣＳ判定に反映させることができるので、ＡＣＳ判定を適切に行うことができる。すなわち、ＡＣＳ判定に要する時間を短くして複数の原稿の連続読み取り等に影響を及ぼさないようにすることを操作者が希望する場合は、ＡＣＳ判定において原稿がカラー原稿であると判定されやすくなるようにし、データ量が多いカラー画像データが出力される頻度を低くすることを操作者が希望する場合は、ＡＣＳ判定において原稿がモノクロ原稿であると判定されやすくなるようにすることができる。
【００５９】
＜７  履歴情報＞
図６は、フラッシュメモリ１０６に記憶される履歴情報４の内容を示す図である。
【００６０】
履歴情報４は、読み取り中の原稿についての領域判定の判定結果の履歴の情報である領域別履歴情報４１と、実行中のジョブについてのＡＣＳ判定の判定結果の履歴の情報であるページ別履歴情報４２とを含む。なお、実行中のジョブについてのＡＣＳ判定の判定結果の履歴の情報に加えて、又は、実行中のジョブについてのＡＣＳ判定の判定結果の履歴の情報に代えて、実行済のジョブについてのＡＣＳ判定の判定結果の履歴の情報を履歴情報４に含めてもよい。
【００６１】
さらに、履歴情報４には、操作者、動作及び出力先ごとのカラーページ数、モノクロページ数及び部数を記録した履歴情報４３が含まれている。「操作者」とは、原稿の読み取りを行った際のデジタル複合機１の操作者である。「動作」とは、スキャン、コピー及びプリントの別である。「出力先」には、ネットワークフォルダのパス（図６における「\\userA\scan」等）、スキャンボックス名（図６における「scanBox1」等）、プリンタ名（図６における「自機」「printer1」等）が含まれる。「カラーページ数」とは、カラーモードで読み取りされた原稿のページ数をいい、「モノクロページ数」とは、モノクロモードで読み取りされた原稿のページ数をいう。「部数」は、「動作」がスキャンの場合は常に「１」となるが、「動作」が「コピー」又は「プリント」の場合は、形成された記録媒体の部数となる。
【００６２】
なお、「カラーページ数」には、自動カラー選択が有効になっているときにカラーモードで読み取りされた原稿、すなわち、処理モード設定画面２でＡＣＳボタン２３が押下されたときにＡＣＳ判定でカラー原稿と判定されて読み取りされた原稿のページ数だけでなく、自動カラー選択が無効になっているときにカラーモードで読み取りされた原稿、すなわち、処理モード設定画面２でカラーボタン２１が押下されたときに読み取りされた原稿のページ数も含まれる。同様に、「モノクロページ数」には、自動カラー選択が有効になっているときにモノクロモードで読み取りされた原稿、すなわち、処理モード設定画面２でＡＣＳボタン２３が押下されたときにＡＣＳ判定でモノクロ原稿と判定されて読み取りされた原稿のページ数だけでなく、自動カラー選択が無効になっているときにモノクロモードで読み取りされた原稿、すなわち、処理モード設定画面２でモノクロボタン２２が押下されたときに読み取りされた原稿のページ数も含まれる。換言すれば、履歴情報４には、ＡＣＳ判定の履歴の情報だけでなく、原稿がカラー原稿又はモノクロ原稿のいずれであるのかの指定の内容の情報も含まれる。
【００６３】
＜８  履歴情報の利用＞
履歴情報４は、領域判定における判定基準を設定する基礎の情報として用いられる。
【００６４】
例えば、デジタル複合機１は、領域別履歴情報４１に「カラー領域」が多ければ、ＡＣＳ判定において原稿がカラー原稿であると判定されやすくなるように領域判定における判定基準を設定し、「モノクロ領域」が多ければ、ＡＣＳ判定において原稿がモノクロ原稿であると判定されやすくなるように領域判定における判定基準を設定する。
【００６５】
また、デジタル複合機１は、ページ別履歴情報４２に「カラー原稿」が多ければ、ＡＣＳ判定において原稿がカラー原稿であると判定されやすくなるように領域判定における判定基準を設定し、「モノクロ原稿」が多ければ、ＡＣＳ判定において原稿がモノクロ原稿であると判定されやすくなるように領域判定における判定基準を設定する。
【００６６】
さらに、デジタル複合機１は、現在の操作者、動作及び出力先の過去のカラーページ数及びモノクロページ数を参照して、カラーページ数が多ければ、ＡＣＳ判定において原稿がカラー原稿であると判定されやすくなるように領域判定における判定基準を設定し、モノクロページ数が多ければ、ＡＣＳ判定において原稿がモノクロ原稿であると判定されやすくなるように領域判定における判定基準を設定する。なお、記録媒体への画像の形成を伴わないスキャン等の場合は、原稿のページ数に基づいて判定基準を設定することが望ましいから、履歴情報４３のカラーページ数及びモノクロページ数に基づいて判定基準を設定することが望ましく、記録媒体への画像の形成を伴うコピー等の場合は、記録媒体のページ数に基づいて判定基準を設定することが望ましいから、履歴情報４３のカラーページ数及びモノクロページ数に履歴情報４３の部数を乗じたものに基づいて判定基準を設定することが望ましい。
【００６７】
このように、領域判定に先立って得られた履歴情報４に基づいて領域判定における判定基準を設定するようにすると、領域判定に先立って得られた履歴情報４をＡＣＳ判定に反映させることができるので、ＡＣＳ判定を適切に行うことができる。すなわち、履歴情報４から見て原稿がカラー原稿である可能性が高い場合には、ＡＣＳ判定において原稿がカラー原稿であると判定されやすくなるようにし、履歴情報４から見て原稿がモノクロ原稿である可能性が高い場合には、ＡＣＳ判定において原稿がモノクロ原稿であると判定されやすくなるようにすることができる。
【００６８】
なお、出力先ごとの履歴情報４３に基づいて判定基準を設定するのは、出力先によってカラー画像データ又はモノクロ画像データのいずれを出力すべきかがある程度決まってくるからである。例えば、ネットワークフォルダを監視して当該ネットワークフォルダに保存された画像データを自動的にプリンタに転送するプログラムがネットワーク９２に接続されたパーソナルコンピュータに組み込まれている場合には、当該ネットワークフォルダへ出力する画像データはカラー画像データである可能性が高いといえる。
【００６９】
＜９  コピーを行う場合の処理＞
図７は、組み込みコンピュータ１０の制御下で行われる、自動カラー選択を有効にしてコピーを行う場合のデジタル複合機１における処理の流れを示すフローチャートである。図７では、１ページの読み取り中に領域判定における判定基準を切り替えることができるデジタル複合機１における処理の流れを示すフローチャートとなっている。
【００７０】
操作パネル１１０を操作してデジタル複合機１にコピー開始指示を与えると（ステップＳ１０１）、デジタル複合機１は、ＡＣＳ動作設定画面３で設定された優先設定をフラッシュメモリ１０６から読み出す処理を行う（ステップＳ１０２）。続いて、デジタル複合機１は、履歴情報４のうち領域別履歴情報４１を除くものに基づいて判定パラメータを設定する（ステップＳ１０３）。「判定パラメータ」とは、判定基準を規定するパラメータであり、例えば、先述の閾値Ｎｔ，Ｃｂｔ，Ｃｒｔ等が該当する。
【００７１】
判定パラメータの設定が完了すると、デジタル複合機１では、スキャナ部１１２が原稿の読み取りを開始する（ステップＳ１０４）。そして、デジタル複合機１は、一の領域の領域判定が完了すると（ステップＳ１０５で"Y"）、原稿のＡＣＳ判定が可能であるか否かを調べる（ステップＳ１０６）。
【００７２】
ここで、領域判定が既に完了している領域の中にカラー領域が含まれており、原稿のＡＣＳ判定を行うことができる場合は（ステップＳ１０６で"Y"）、原稿の読み取りが完了していれば（ステップＳ１０７で"Y"）、カラー原稿であるとのＡＣＳ判定を確定する処理を行い（ステップＳ１１１）、判定結果に応じたコピー動作を行う（ステップＳ１１２）。一方、原稿の読み取りが完了していなければ（ステップＳ１０７で"NO"）、原稿の読み取りの完了を待って（ステップＳ１０７で"Y"）、カラー原稿であるとのＡＣＳ判定を確定する処理を行う（ステップＳ１１１）。
【００７３】
一方、領域判定が既に完了している領域の中にカラー領域が含まれておらず、原稿のＡＣＳ判定を行うことができない場合は（ステップＳ１０６で"N"）、原稿の読み取りが完了していれば（ステップＳ１０８で"Y"）、モノクロ原稿であるとのＡＣＳ判定を確定する処理を行い（ステップＳ１１１）、原稿の読み取りが完了していなければ（ステップＳ１０８で"N"）、履歴情報４をフラッシュメモリ１０から読み出し（ステップＳ１０９）、判定パラメータを更新する処理を行う（ステップＳ１１０）。
【００７４】
しかる後に、デジタル複合機１は、ステップＳ１０５に戻って、次の一の領域の領域判定が完了したか否かを調べる。
【００７５】
＜１０  その他＞
上述の実施形態では、スキャナ（画像読み取り装置）の機能を有するデジタル複合機１に本発明を適用した例について説明したが、スキャナ専用機等に本発明を適用することができることはもちろんである。
【図面の簡単な説明】
【００７６】
【図１】デジタル複合機のブロック図である。
【図２】デジタル複合機のブロック図である。
【図３】デジタル複合機のブロック図である。
【図４】処理モード設定画面を示す図である。
【図５】ＡＣＳ動作設定画面を示す図である。
【図６】履歴情報の内容を示す図である。
【図７】コピーを行う場合の処理の流れを示すフローチャートである。
【符号の説明】
【００７７】
１  デジタル複合機
１０  組み込みコンピュータ
１１２  スキャナ部
１１４  プリンタ部
１１６  画像色判定部
【図１】
2008271166.tif 000003
【図２】
2008271166.tif 000004
【図３】
2008271166.tif 000005
【図４】
2008271166.tif 000006
【図５】
2008271166.tif 000007
【図６】
2008271166.tif 000008
【図７】
2008271166.tif 000009